(57)【要約】      （修正有）【課題】耐風フックの被係止部がガイドレールの高さ方向に部分的に設けられている場合であっても、シャッターカーテンのスムーズな開閉を可能とし、良好な係合状態を得る。【解決手段】所定のスラット４には長さ方向両端部が見込方向に屈曲可能なバー５が設けてあり、バー５の両端部には係止片を備えた耐風フック８が設けてある。ガイドレール２内には、開口部全閉状態にあるシャッターカーテンにおける耐風フック８に対応してフック受け部材９が設けてある。フック受け部材９は、第１片と、第１片の先端から見付方向に延びる第２片９２と、から平面視Ｌ形状の被係止片を備えており、被係止片の第２片９２の端縁は、垂直縁９２０と、垂直縁９２０の上端から上方かつ第１片側に向かって傾斜状に延びる上側傾斜縁９２１と、を備え、上側傾斜縁９２１の少なくとも一部は第１片の上端よりも上方に位置している。【選択図】図４
2011149191.tif 000002
【特許請求の範囲】
【請求項１】
複数枚のスラットを上下に連結してなるシャッターカーテンと、開口部の幅方向両端部に立設され、前記シャッターカーテンの幅方向両端部を案内するガイドレールと、を備えたシャッター装置において、
少なくとも１本のスラットには、スラットの全長に亘って、長さ方向両端部が見込方向に屈曲可能なバーが設けてあり、
前記バーの長さ方向両端部には係止片を備えた耐風フックが設けてあり、
前記ガイドレール内には、開口部全閉状態にあるシャッターカーテンにおける前記耐風フックに対応する高さに位置してフック受け部材が設けてあり、
前記フック受け部材は、見込方向に延びる第１片と、第１片の先端からガイドレールの底辺に向かって見付方向に延びる第２片と、から平面視Ｌ形状の被係止片を備えており、
前記被係止片の前記第２片の端縁は、少なくとも、垂直縁と、垂直縁の上端から上方かつ前記第１片側に向かって傾斜状に延びる上側傾斜縁と、を備え、前記上側傾斜縁の少なくとも一部は前記第１片の上端よりも上方に位置している、
シャッター装置。
【請求項２】
前記耐風フックは、高さ方向に間隔を存して複数のスラットのバーに設けてあり、
前記フック受け部材は、各耐風フックに対応するように高さ方向に間隔を存して複数設けてあり、
前記複数のフック受け部材において、最下位のフック受け部材の前記被係止片の前記第２片の端縁は、少なくとも、垂直縁と、垂直縁の上端から上方かつ前記第１片側に向かって傾斜状に延びる上側傾斜縁と、を備え、前記上側傾斜縁の少なくとも一部は前記第１片の上端よりも上方に位置しており、
最下位のフック受け部材の上側に位置するフック受け部材の前記被係止片の前記第２片の端縁は、垂直縁と、垂直縁の上端から上方かつ前記第１片側に向かって傾斜状に延びる上側傾斜縁と、垂直縁の下端から下方かつ前記第１片側に向かって傾斜状に延びる下側傾斜縁と、を備え、前記上側傾斜縁の少なくとも一部は前記第１片の上端よりも上方に位置しており、前記下側傾斜縁の少なくとも一部は前記第１片の下端よりも下方に位置している、
請求項１に記載のシャッター装置。
【請求項３】
前記ガイドレールは、対向状の２つの側辺と、前記側辺の基端側を連結する底辺と、前記側辺の先端側に見込方向に対向状に形成された２つの前壁と、を備え、前記前壁間にスラット端部を受け入れる開口溝が形成されており、当該開口溝および当該開口溝の後方領域がスラット端部のガイド領域となっており、
前記フック受け部材は一方の側辺に取り付けられると共に、見込方向において、当該一方の側辺の先端側の前壁の見込寸法内に位置しており、前記ガイド領域内にまでは突出していない、
請求項１、２いずれかに記載のシャッター装置。
【請求項４】
前記ガイドレールの上端は上部ガイドに連結されており、
前記上部ガイドの溝幅は、前記ガイドレールの内部空間の側辺間の寸法よりも小さく、
前記ガイドレールの内部空間の上端部位には、前記耐風フックの移動経路に位置してガイドブロックが設けてあり、
前記ガイドブロックは、上方に向かって側辺から離間するように傾斜する傾斜面を備えている、
請求項１乃至３いずれかに記載のシャッター装置。
【発明の詳細な説明】
【技術分野】
【０００１】
本発明は、シャッター装置に係り、詳しくは、耐風フック及びフック受け部材を備えたシャッター装置に関するものである。
【背景技術】
【０００２】
シャッターの耐風圧性能を上げるために耐風フック構造を用いる場合がある（例えば、特許文献１参照）。ガイドレール内には耐風フックの被係止部が形成されているが、従来の被係止部はガイドレールの高さ全体に亘って形成されている。ここで、耐風フック仕様でない一般的なガイドレール内に耐風フックの被係止部を高さ方向に部分的に設けたい場合があり、そのような場合に、シャッターカーテンのスラットに片寄りがあると、シャッターカーテン端部とガイドレールとが左右均等な係合状態とはならないばかりでなく、耐風フックと被係止部が当接してシャッターカーテンのスムーズな開閉に支障を来すおそれがある。
【先行技術文献】
【特許文献】
【０００３】
【特許文献１】特許第３４１８８９９号
【発明の開示】
【発明が解決しようとする課題】
【０００４】
本発明は、耐風フックの被係止部がガイドレールの高さ方向に部分的に設けられている場合であっても、シャッターカーテンのスムーズな開閉を可能とし、良好な係合状態を得ることを目的とするものである。
【課題を解決するための手段】
【０００５】
本発明が採用した技術手段は、
複数枚のスラットを上下に連結してなるシャッターカーテンと、開口部の幅方向両端部に立設され、前記シャッターカーテンの幅方向両端部を案内するガイドレールと、を備えたシャッター装置において、
少なくとも１本のスラットには、スラットの全長に亘って、長さ方向両端部が見込方向に屈曲可能なバーが設けてあり、
前記バーの長さ方向両端部には係止片を備えた耐風フックが設けてあり、
前記ガイドレール内には、開口部全閉状態にあるシャッターカーテンにおける前記耐風フックに対応する高さに位置してフック受け部材が設けてあり、
前記フック受け部材は、見込方向に延びる第１片と、第１片の先端からガイドレールの底辺に向かって見付方向に延びる第２片と、から平面視Ｌ形状の被係止片を備えており、
前記被係止片の前記第２片の端縁は、少なくとも、垂直縁と、垂直縁の上端から上方かつ前記第１片側に向かって傾斜状に延びる上側傾斜縁と、を備え、前記上側傾斜縁の少なくとも一部は前記第１片の上端よりも上方に位置している、
シャッター装置、である。
１つの態様では、耐風フックの係止片は、見込方向に延びる第１片と、第１片の先端からガイドレールの底辺から離間する方向に見付方向に延びる第２片と、から平面視Ｌ形状に形成されている。
【０００６】
１つの態様では、前記耐風フックは、高さ方向に間隔を存して複数のスラットのバーに設けてあり、
前記フック受け部材は、各耐風フックに対応するように高さ方向に間隔を存して複数設けてあり、
前記複数のフック受け部材において、最下位のフック受け部材の前記被係止片の前記第２片の端縁は、少なくとも、垂直縁と、垂直縁の上端から上方かつ前記第１片側に向かって傾斜状に延びる上側傾斜縁と、を備え、前記上側傾斜縁の少なくとも一部は前記第１片の上端よりも上方に位置しており、
最下位のフック受け部材の上側に位置するフック受け部材の前記被係止片の前記第２片の端縁は、垂直縁と、垂直縁の上端から上方かつ前記第１片側に向かって傾斜状に延びる上側傾斜縁と、垂直縁の下端から下方かつ前記第１片側に向かって傾斜状に延びる下側傾斜縁と、を備え、前記上側傾斜縁の少なくとも一部は前記第１片の上端よりも上方に位置しており、前記下側傾斜縁の少なくとも一部は前記第１片の下端よりも下方に位置している。
【０００７】
１つの態様では、前記ガイドレールは、対向状の２つの側辺と、前記側辺の基端側を連結する底辺と、前記側辺の先端側に見込方向に対向状に形成された２つの前壁と、を備え、前記前壁間にスラット端部を受け入れる開口溝が形成されており、当該開口溝および当該開口溝の後方領域がスラット端部のガイド領域となっており、
前記フック受け部材は一方の側辺に取り付けられると共に、見込方向において、当該一方の側辺の先端側の前壁の見込寸法内に位置しており、前記ガイド領域内にまでは突出していない。
１つの態様では、前記ガイドレールの上端は上部ガイドに連結されており、
前記上部ガイドの溝幅は、前記ガイドレールの内部空間の側辺間の寸法よりも小さく、
前記ガイドレールの内部空間の上端部位には、前記耐風フックの移動経路に位置してガイドブロックが設けてあり、
前記ガイドブロックは、上方に向かって側辺から離間するように傾斜する傾斜面を備えている。
【発明の効果】
【０００８】
本発明では、前記被係止片の前記第２片の端縁は、少なくとも、垂直縁と、垂直縁の上端から上方かつ前記第１片側に向かって傾斜状に延びる上側傾斜縁と、を備え、前記上側傾斜縁の少なくとも一部は前記第１片の上端よりも上方に位置しているので、シャッターカーテン下降時にスラットが片寄っていても、スラットの端部の耐風フックが前記上側傾斜縁に当接して垂直縁へスムーズに案内されてシャッターカーテンの下降を妨げることがなく、耐風フックの係止片とフック受け部材の被係止片とが係合することで左右均等な閉鎖状態となって良好な耐風強度が得られる。
【０００９】
前記耐風フックが、高さ方向に間隔を存して複数のバーに設けてある場合には、最下位のフック受け部材の上側に位置するフック受け部材の前記被係止片の前記第２片の端縁に、さらに垂直縁の下端から下方かつ前記第１片側に向かって傾斜状に延びる下側傾斜縁を設け、前記下側傾斜縁の少なくとも一部は前記第１片の下端よりも下方に位置しているので、シャッターカーテン上昇時にスラットが片寄っていても、スラットの端部の耐風フックが前記下側傾斜縁に当接して垂直縁へスムーズに案内されてシャッターカーテンの上昇を妨げない。
【００１０】
フック受け部材を、それが取り付けられたガイドレール側辺の先端側の前壁の見込寸法内に位置させ、フック受け部材がスラット端部のガイド領域内にまで突出しないようにすることで、シャッターカーテンの上昇時・下降時にスラット端部がフック受け部材に接触・当接することを防止し、シャッターカーテンのスムーズな開閉を可能とする。ガイドレールの内部空間の上端部位に、前記耐風フックの移動経路に位置してガイドブロックを設けたものでは、ガイドレール上端と上部ガイドとの間に段差部が形成されている場合であっても、シャッターカーテン上昇時に、耐風フックがガイドブロックの傾斜面に案内されて、耐風フックが側辺から離間するようにバーが屈曲するので、耐風フックが段差部に引っ掛かることなく、上部ガイドの溝部にスムーズに案内される。
【図面の簡単な説明】
【００１１】
【図１】シャッター装置の全体正面図及び平面図である。
【図２】バーが設けられたスラットの正面図および当該スラットの拡大側面図である。
【図３】バーが設けられたスラットを示すシャッターカーテンの部分正面図および側面図である。
【図４】バーが設けられたスラットの部分斜視図およびガイドレールの部分切り欠き斜視図である。
【図５】フック受け部材の正面図および底面図である。
【図６】フック受け部材が設けられた部位のガイドレールの部分正面図およびガイドレールの平面図である。
【図７】フック受け部材と耐風フックとの係合状態を示す平面図である。
【図８】ガイドレール上部のガイドブロックを説明する図である。
【発明を実施するための形態】
【００１２】
図１は、シャッター装置の全体正面図及び平面図であり、シャッター装置は、建物開口部を開閉するシャッターカーテン１と、建物開口部の幅方向両端部に立設され、シャッターカーテン１の幅方向両端部を上下方向に案内するガイドレール２と、を備えている。建物開口部の上方にはシャッターケース３が設けられ、シャッターケース３内には開口部幅方向に延びるように巻取シャフト（図示せず）が設けられており、巻取シャフトにはシャッターカーテン１の上端部が連結されている。開口部全開状態では、シャッターカーテン１は巻取シャフトに巻装されており、開口部全開状態から巻取シャフトを第１の方向に回転させることで、シャッターカーテン１がその幅方向両端部が左右のガイドレールに案内されながら降下し、シャッターカーテン１の下端が着床することで開口部全閉状態となる。開口部全閉状態から巻取シャフトを第１の方向とは逆の第２の方向に回転させることで、シャッターカーテン１が巻取シャフトに巻き取られていき、開口部全開状態となる。
【００１３】
シャッターカーテン１は、複数枚のスラット４を上下に連設して形成されている。スラット４は、開口部幅方向に水平状に延びる板状の長尺部材であり、図２下図に示すように、湾曲状の面部４０と、面部４０の上端に一体形成されている上側インターロック係合部４１と、面部４０の下端に一体形成されている下側インターロック係合部４２と、からなる。湾曲状の面部４０において、膨出側を表面、凹側を裏面とする。シャッターカーテン１の下端には座板４Ａが設けてある。
【００１４】
シャッターカーテン１を形成する複数枚のスラット４において、開口部全閉状態のシャッターカーテン１において所定の高さに位置するスラット４には、スラット４の面部４０の裏面において屈曲性を備えたバー５が取り付けられている。図示の態様では、開口部全閉状態においてシャッターカーテン１を高さ方向に略三等分する高さ位置の２本のスラット４を選択して、当該２本のスラット４にバー５が設けてある。バー５が設けられるスラット４の位置や本数は図示のものに限定されるものではなく、１本のスラット４のみにバー５を設けてよく、また、３本以上のスラット４を選択してそれぞれにバー５を設けてもよい。
【００１５】
バー５は、スラット４の全幅に亘って延びる長尺部材であり、図示の態様では、バー５の長さ方向端部はスラット４の長さ方向端部と一致している。バー５は、断面視略Ｃ形状を備えているが、バー５の断面形状は限定されない。典型的には、バー５は金属製であるが、屈曲性を備えかつ所定の強度を有していれば、金属以外の材料（例えば、樹脂）からバー５を形成してもよい。
【００１６】
図示の態様では、図１、図２に示すように、バー５は、スラット４の長さ方向に間隔を存した３ヶ所Ｐ１、Ｐ２、Ｐ３においてスラット４の面部４０に取り付けられている。より具体的には、スラット４の所定部位、すなわちＰ１、Ｐ２、Ｐ３の裏面には、側面視コ字状ないしＣ形状の取付片６がリベット６Ａによって面部４０に固定されており、バー５は３つの取付片６によって面部４０の裏面に保持されている。バー５の長さ方向の中央部位には、スラット４の中央に設けた取付片６を両側から挟むようにして側面視コ字状ないしＣ形状の移動規制片７がリベット７Ａによって固定されており、取付片６の左右両端縁が各移動規制片７の端縁に当接することでスラット４に対するバー５の長さ方向の移動が規制されている。尚、スラット４に対するバー５の取付構成は図示のものには限定されるものではなく、例えば、長さ方向の所定箇所においてリベットや螺子等で直接バー５とスラット４を固定してもよい。図２下図に示すように、スラット４の面部４０の裏面に設けられたバー５は、湾曲状のスラット４の凹部に位置するため、上側インターロック部４１と下側インターロック部４２を結ぶ鉛直線から内側にあり外方に突出しないようになっており、バー５がシャッターカーテン１の巻き取りに支障を与えることがない。
【００１７】
バー５の保持位置Ｐ１、Ｐ３は、それぞれバー５の長さ方向端部から離間しており、バー５の長さ方向の左右の部位５０（バー５の一方の端縁とＰ１との間の部位、バー５の他方の端縁とＰ３との間の部位）は、それぞれ保持位置Ｐ１、Ｐ３（すなわち、取付片６によってバー５が拘束されている部位）を支点として前後方向（室内外方向）に屈曲可能となっている。
【００１８】
バー５の長さ方向の左右の両端部には、耐風フック８が取り付けられている。図４上図、図７に示すように、耐風フック８は、バー５に取り付けられる基片８０と、基片８０の先端側に一体形成された平面視Ｌ形状の係止片と、からなる。Ｌ形状の係止片は、基片８０に対して直角状に見込方向に延びる第１片８１と、第１片８１の先端から基片８０に対向するように直角状に見付方向に延びる第２片８２と、からなる。
【００１９】
バー５の耐風フック８が設けられた部位５０を見込方向（前後方向ないし室内外方向）に屈曲可能とすることで、シャッターカーテン１が巻き取られる時にはバー５が屈曲して、耐風フック８によるシャッターカーテン１の幅方向端部の巻径の増加を最小限に抑えることができ、シャッターケース３内のシャッターカーテン１の納まりをコンパクトにすることができる。
【００２０】
図２上図、図３に示すように、バー５の長さ方向の両端部には、長さ方向に延びる長孔５１が形成されており、長孔５１を貫通する螺子５２を用いて耐風フック８をバー５に固定する。図示の態様では、バー５には長孔５１に対応して横長方形状の補強プレート５３が設けてある。補強プレート５３には雌螺子が形成されており、螺子５２は、バー５、耐風フック８の基片８０を貫設して、補強プレート５３の雌螺子に螺合されている。バー５の長孔５１の長さ内において、バー５、すなわちスラット４に対する耐風フック８の取付位置を、ガイドレール２の取付精度に応じて開口幅方向に調整することができる（図７参照）。
【００２１】
図４下図、図６に示すように、ガイドレール２は、対向状の第１側辺２０、第２側辺２１、第１側辺２０、第２側辺２１の基端側を連結する底辺２２と、を備え、第１側辺２０、第２側辺２１の先端側にはそれぞれ前壁２３、２４が見込方向に対向状に一体形成されており、前壁２３、２４間にスラット４の端部を受け入れる開口溝２５が形成されており、開口溝２５および開口溝２５の後方領域がスラット４の端部のガイド領域Ｇとなっている。前壁２３、２４は開口溝２５に位置してガイドレール２の内部側に湾曲しており、かかる湾曲部位にはスラット４とガイドレール２との接触を緩和する消音樹脂２６が設けてある。
【００２２】
ガイドレール２内には、第１側辺２０の内側に位置して、フック受け部材９が設けてある。図１に示すように、フック受け部材９は、開口部全閉状態における各耐風フック８に対応する高さに位置して設けてある。すなわち、フック受け部材９は、ガイドレール２の全高に亘って設けてあるのではなく、開口部全閉状態における耐風フック８に対応する部位にのみ設けてある。このようなフック受け部材９は、既設のガイドレールに後付けする場合にも有利である。図１では、高さ方向に間隔を存して２つの短尺のフック受け部材９を設けたが、上下の２つの耐風フック８に亘って延びるような長尺のフック受け部材を用いてもよい。
【００２３】
図５に示すように、フック受け部材９は、第１側辺２０の内側に取り付けられる基片９０と、基片９０の一端側（底辺２２から遠い側、すなわち開口溝２５側）に一体形成された平面視Ｌ形状の被係止片と、からなる。Ｌ形状の被係止片は、基片９０に対して直角状に見込方向に延びる第１片９１と、第１片９１の先端から基片９０に対向するように底辺２２に向かって直角状に見付方向に延びる第２片９２と、からなる。図６下図に示すように、フック受け部材９の被係止片は、見込方向において、前壁２３の見込寸法内に位置しており、ガイド領域Ｇ内にまでは突出しないので、シャッターカーテン１の上昇時・下降時にスラット４の端部がフック受け部材９に接触・当接することが無い。
【００２４】
フック受け部材９の被係止片の第２片９２の端縁は、高さ方向に延びる垂直縁９２０と、垂直縁９２０の上端から上方かつ基端側（第１片９１側ないし開口溝２５側）に向かって傾斜状に延びる上側傾斜縁９２１と、垂直縁９２０の下端から下方かつ基端側（第１片９１側ないし開口溝２５側）に向かって傾斜状に延びる下側傾斜縁９２２と、からなる。
【００２５】
垂直縁９２０の上端（すなわち、上側傾斜縁９２１の下端）は第１片９１の上端よりも下方に位置しており、上側傾斜縁９２１は第１片９１の上端よりも上方に延びており、上側傾斜縁９２１の上端は第１片９１の直上に位置している。垂直縁９２０の下端（すなわち、下側傾斜縁９２２の上端）は第１片９１の下端よりも上方に位置しており、下側傾斜縁９２２は第１片９１の下端よりも下方に延びており、下側傾斜縁９２２の下端は第１片９１の直下に位置している。
【００２６】
耐風フック８とフック受け部材９との係合について図１、図４、図７を参照しつつ説明する。図１に示す態様では、耐風フック８、フック受け部材９は、上下に２個ずつ配置されており、以下の説明においては、これらを、上側耐風フック８、上側フック受け部材９、下側耐風フック８、下側フック受け部材９とする。
【００２７】
開口部全開状態からシャッターカーテン１が降下して行くと、先ず、下側耐風フック８が上側のフック受け部材９に上方から接近するが（図４参照）、この時、スラット４が開口幅方向に片寄っていたとしても、下側耐風フック８の第１片８１の下縁が上側のフック受け部材９の第２片９２の上側傾斜縁９２１に当接して底辺２２側（垂直縁９２０）へ案内されながらスラット４が降下するため、スラット４の片寄りによってシャッターカーテン１の降下に支障を来すことがなく、下側耐風フック８が上側のフック受け部材９を通過して下降する。
【００２８】
シャッターカーテン１がさらに降下すると、下側耐風フック８が下側フック受け部材９に、上側耐風フック８が上側フック受け部材９にそれぞれ上方から接近するが（図４参照）、この時、スラット４が開口幅方向に片寄っていたとしても、下側耐風フック８の第１片８１の下縁が下側フック受け部材９の第２片９２の上側傾斜縁９２１に当接して底辺２２側（垂直縁９２０）へ案内され、上側耐風フック８の第１片８１の下縁が上側フック受け部材９の第２片９２の上側傾斜縁９２１に当接して底辺２２側（垂直縁９２０）へ案内されながらスラット４が降下するため、スラット４の片寄りによってシャッターカーテン１の降下に支障を来すことがない。
【００２９】
シャッターカーテン１が着床して開口部全閉状態となった時に、上側耐風フック８の平面視Ｌ形状の係止片が上側フック受け部材９の平面視Ｌ形状の被係止片に係止し、下側耐風フック８の平面視Ｌ形状の係止片が下側フック受け部材９の平面視Ｌ形状の被係止片に係止した状態となる（図７参照）。
【００３０】
このように、フック受け部材９に耐風フック８のガイドとして機能する上側傾斜縁９２１が形成されているので、シャッターカーテン１の降下時にスラット４に片寄りが生じていても、耐風フック８の第１片８１の下縁がフック受け部材９の第２片９２の上側傾斜縁９２１に当接して底辺２２側（垂直縁９２０）へ案内される過程でスラット４の片寄りが矯正され、スラットの長さ方向の左右の耐風フック８が左右略均等に左右のフック受け部材９に係止して、シャッターカーテン端部のガイドレール２からの抜け出し防止する。
【００３１】
図７に示すように、ガイドレール２の取付部位に開口幅方向にバラツキがあっても、耐風フック８の取付位置を調整することで、耐風フック８の係止片と、フック受け部材９の被係止片との係止寸法を十分に確保することで、レールの取付精度に左右されることなく、耐風圧強度を確保することができる。
【００３２】
開口部全閉状態では、上側耐風フック８の平面視Ｌ形状の係止片が上側フック受け部材９の平面視Ｌ形状の被係止片に係止し、下側耐風フック８の平面視Ｌ形状の係止片が下側フック受け部材９の平面視Ｌ形状の被係止片に係止した状態であるため、スラット４が片寄ることがない。開口部全閉状態からシャッターカーテン１が上昇する時には、上側耐風フック８が上側フック受け部材９から離れて上昇し、下側耐風フック８が下側フック受け部材９から離れて上昇して行くと、下側耐風フック８が上側フック受け部材９に下方から接近する。この時、スラット４が開口幅方向に片寄っていたとしても、下側耐風フック８の第１片８１の上縁が上側フック受け部材９の第２片９２の下側傾斜縁９２２に当接して底辺２２側（垂直縁９２０）へ案内されながらスラット４が上昇するため、スラット４の片寄りによってシャッターカーテン１の降下に支障を来すことがない。
【００３３】
耐風フック８が取り付けられたスラット４が一本の場合には、少なくともガイドレール受け部材９の上側の傾斜縁のみ有していればよく、ガイドレール受け部材９の下側に傾斜縁を設ける必要はない。耐風フック８が上下に複数個設けられ、かつ長尺状の一つのガイドレール受け部材９が複数の耐風フック８に対応して設けてある場合には、少なくともガイドレール受け部材９の上側の傾斜縁のみ有していればよく、ガイドレール受け部材９の下側に傾斜縁を設ける必要はない。
【００３４】
図８に示すように、ガイドレール２の上端は開口部上方に位置する上部ガイド１１に挿入されるが、上部ガイド１１の内部空間１１０はガイドレール２の開口溝２５およびガイド領域Ｇの幅と略同じであり、ガイドレール２の内部空間２００よりも幅狭（見込寸法が小さい）となっているため、ガイドレール２の内部空間２００と上部ガイド１１の内部空間１１０との間で段差部が生じている。
【００３５】
ガイドレール２の上端には、第１側辺２０の内側に位置してガイドブロック１０が設けてある。ガイドブロック１０は、ガイド領域Ｇに対向するガイド面を有しており、ガイド面は、傾斜面１００と、傾斜面１００の上側の垂直面１０１と、を備えている。傾斜面１００は、上方に向かって第１側辺２０から離間するようにガイド領域Ｇへ向かって傾斜している。図８に示すように、ガイドブロック１０は、見込方向において、前壁２３の見込寸法内に位置しており、ガイド領域Ｇに突出しないので、スラット４の端部がガイドブロック１０に接触・当接することが無い。
【００３６】
第１側辺２０側の段差部に位置してガイドブロック１０を設けることによって、シャッターカーテン１の上昇時に、耐風フック８の第２片８２がガイドブロック１０の傾斜面１００に当接して案内され、バー５が第１側辺２０から離間する方向に屈曲しながら、第２片８２が垂直面１０１まで案内されて、さらに垂直面１０１に案内されてシャッターカーテンが上昇することで、耐風フック８が段差部に引っ掛かることなく、良好に上部ガイド１１の内部空間１１０に案内される。
【符号の説明】
【００３７】
１  シャッターカーテン
２  ガイドレール
４  スラット
５  バー
８  耐風フック
９  フック受け部材
１０  ガイドブロック
【図１】
2011149191.tif 000003
【図２】
2011149191.tif 000004
【図３】
2011149191.tif 000005
【図４】
2011149191.tif 000006
【図５】
2011149191.tif 000007
【図６】
2011149191.tif 000008
【図７】
2011149191.tif 000009
【図８】
2011149191.tif 000010